(57)【特許請求の範囲】
【請求項１】
生活廃水を処理した生活処理水を、船舶のバラスト水として輸送して、前記生活処理水の需要者に供給する際に、前記生活処理水の取引のマッチングを行う生活処理水取引支援装置であって、
前記生活処理水の需要に関する情報である需要情報と、前記生活処理水の供給に関する情報である供給情報と、前記需要情報と前記供給情報とのマッチング結果を表すマッチング情報とを含んで格納する記憶手段と、
前記需要情報ごとに、前記需要者の要求を満たす前記供給情報をマッチングし、その結果を前記マッチング情報として出力するマッチング手段と、
前記需要情報および前記供給情報と、前記マッチング手段が出力する前記マッチング情報とを前記記憶手段に登録する登録手段と、
前記マッチング情報を一覧表示したマッチング情報一覧画面を作成する表示作成手段と、
前記需要情報および前記供給情報を、通信回線を介して受信し、前記マッチング情報一覧画面を、前記通信回線を介して送信する通信手段と
前記船舶が輸送可能な前記生活処理水の輸送水量に関する情報に基づいて、前記需要情報および前記供給情報を補正する補正手段とを含んで構成され、
前記マッチング情報一覧画面において、どのマッチング情報を選択したかを表す選択情報と、前記船舶が輸送可能な前記生活処理水の輸送水量および前記供給価格に所望の金額を加えた売却価格に関する情報とを含んだ輸送提示情報を、前記通信手段から受信し、
前記表示作成手段は、前記輸送提示情報を一覧表示した輸送提示画面を作成して前記通信手段から送信し、
前記輸送提示画面において、どの輸送提示情報を選択したかを表す提示選択情報を前記通信手段から受信すると、
前記補正手段は、前記提示選択情報に基づいて、取引が確定した需要情報の購入水量から、前記輸送水量を差し引いて前記需要情報データベースに登録し、この需要情報にマッチングされた供給情報の供給水量から前記輸送水量を差し引いて前記供給情報データベースに登録すること、
を特徴とする生活処理水取引支援装置。
【請求項２】
前記需要情報には、必要とする前記生活処理水の水質、需要量、需要時期および購入価格に関する情報が含まれ、前記供給情報には、供給する前記生活処理水の水質、供給量、供給時期および供給価格に関する情報が含まれる
ことを特徴とする請求の範囲第１項に記載の生活処理水取引支援装置。
【請求項３】
生活廃水を処理した生活処理水を、船舶のバラスト水として輸送して、前記生活処理水の需要者に供給する際に、前記生活処理水の取引のマッチングを行う生活処理水取引支援装置を用いて、前記生活処理水の取引を支援する生活処理水取引支援方法であって、
前記生活処理水取引支援装置が、供給者が供給する生活処理水の水質、供給量および供給時期に関する情報を含んだ供給情報を、前記供給者の利用する供給者端末から通信回線を介して受信し、供給情報データベースに登録するステップと、
前記需要者が必要とする生活処理水の水質、需要量および需要時期に関する情報を含んだ需要情報を、前記需要者の利用する需要者端末から前記通信回線を介して受信し、需要情報データベースに登録するステップと、
前記需要情報ごとに、前記需要情報の各パラメータの条件を満たす前記供給情報をマッチングして、その結果をマッチング情報としてマッチング情報データベースに登録するステップと、
前記マッチング情報を一覧表示したマッチング情報一覧画面を作成し、前記船舶の船主が利用する船主端末に、前記通信回線を介して送信するステップと、
前記マッチング情報一覧画面において、どのマッチング情報を選択したかを表す選択情報と、前記船舶が輸送可能な前記生活処理水の輸送水量および前記供給価格に所望の金額を加えた売却価格に関する情報とを含んだ輸送提示情報を、前記船主端末から前記通信回線を介して受信するステップと、
前記輸送提示情報を、前記需要者ごとに集計した輸送提示画面を作成し、該当する前記需要者端末に送信するステップと、前記需要者端末から、前記輸送提示画面において、どの輸送提示情報を選択したかを表す提示選択情報を受信し、この選択情報に基づいて、取引が確定した需要情報の購入水量から、前記輸送水量を差し引いて前記需要情報データベースに登録し、この需要情報にマッチングされた供給情報の供給水量から前記輸送水量を差し引いて前記供給情報データベースに登録して、前記マッチングをするステップに戻るステップと
を含むこと、を特徴とする生活処理水取引支援方法。
【請求項４】
生活廃水を処理した生活処理水を、船舶のバラスト水として輸送して、前記生活処理水の需要者に供給する際に、前記生活処理水の取引のマッチングを行う生活処理水取引支援装置を用いて、前記生活処理水の取引を支援する生活処理水取引支援方法であって、
前記生活処理水取引支援装置が、供給者が供給する生活処理水の水質、供給量および供給時期に関する情報を含んだ供給情報を、前記供給者の利用する供給者端末から通信回線を介して受信し、供給情報データベースに登録するステップと、
前記需要者が必要とする生活処理水の水質、需要量および需要時期に関する情報を含んだ需要情報を、前記需要者の利用する需要者端末から前記通信回線を介して受信し、需要情報データベースに登録するステップと、
前記需要情報ごとに、前記需要情報の各パラメータの条件を満たす前記供給情報をマッチングして、その結果をマッチング情報としてマッチング情報データベースに登録するステップと、
前記マッチング情報を、前記需要者ごとに集計したマッチング情報提示画面を作成し、前記需要者端末に送信するステップと、
前記需要者端末から、前記マッチング情報提示画面において、どのマッチング情報を選択したかを表す選択情報を受信し、この選択情報に基づいて、選択されたマッチング情報を一覧表示したマッチング情報一覧画面を作成し、前記船舶の船主が利用する船主端末に送信するステップと、
前記マッチング情報一覧画面において、どのマッチング情報を選択したかを表す選択情報と、前記船舶が輸送可能な前記生活処理水の輸送水量および前記供給価格に所望の金額を加えた売却価格に関する情報とを含んだ輸送提示情報を、前記船主端末から前記通信回線を介して受信するステップと、
前記輸送提示情報を、前記需要者ごとに集計した輸送提示画面を作成し、該当する前記需要者端末に送信するステップと、
前記需要者端末から、前記輸送提示画面において、どの輸送提示情報を選択したかを表す提示選択情報を受信し、この選択情報に基づいて、取引が確定した需要情報の購入水量から、前記輸送水量を差し引いて前記需要情報データベースに登録し、この需要情報にマッチングされた供給情報の供給水量から前記輸送水量を差し引いて前記供給情報データベースに登録して、前記マッチングをするステップに戻るステップとを含む
こと、を特徴とする生活処理水取引支援方法。
【請求項５】
前記マッチングをするステップにおいて、前記需要情報および前記供給情報の各パラメータをマッチングする際に類似度を計算し、前記マッチング情報提示画面を作成する際に、この類似度が高いマッチング情報から順に表示
する
こと、を特徴とする請求の範囲第４項に記載の生活処理水取引支援方法。
【請求項６】
前記供給情報および前記需要情報の前記生活処理水の水質に関する情報には、化学的酸素要求量、全窒素量および前リン量の情報を含む、
ことを特徴とする請求の範囲第３項または第５項に記載の生活処理水取引支援方法。
【請求項７】
前記供給情報には、前記生活処理水の供給価格に関する情報が含まれ、前記需要情報には、前記生活処理水の購入価格に関する情報が含まれ、
前記マッチングをするステップにおいて、前記購入価格と前記供給価格との差が、所定の値以上となる前記需要情報と前記供給情報とを、マッチングの候補とする
こと、を特徴とする請求の範囲第６項に記載の生活処理水取引支援方法。
【請求項８】
コンピュータに、請求の範囲第７項に記載の生活処理水取引支援方法を実行させるためのプログラムが記録された記録媒体。
【発明の詳細な説明】
【技術分野】
【０００１】
本発明は、生活廃水を処理した生活処理水を、船舶のバラスト水に用いて輸送して需要者に供給する際に、生活処理水の取引のマッチングを行う、生活処理水取引支援装置、生活処理水取引支援方法およびそのプログラムが記録された記録媒体に関する。
【背景技術】
【０００２】
原油タンカー、天然ガス運搬船または鉱石運搬船などの船舶は、バラストタンクにバラスト水を貯溜することで、荷揚げ後の船のバランスを保っている。このバラスト水としては、一般に、荷揚げを行った水域における海水または淡水が用いられる。そして、このバラストタンクに貯溜されたバラスト水は、船舶が再び船荷を積み込むために次の港に移動すると、船荷を積み込む寄港水域で排水されている。
ところで、近年、船舶に貯溜されたバラスト水に含まれるバクテリアやプランクトンなどの汚濁物が、寄港水域に放出されることによって、従来、その水域に存在しないバクテリアやプランクトンなどが異常繁殖して赤潮を発生させたり、貝毒性のプランクトンが増殖したりして、その水域の生態系を破壊し、魚や貝の養殖などに漁業被害が発生するという国際的な問題が発生している。
【０００３】
この問題を回避するために、２００４年２月には、国際海事機関（Ｉｎｔｅｒｎａｔｉｏｎａｌ Ｍａｒｉｎｅ Ｏｒｇａｎｉｚａｔｉｏｎ：ＩＭＯ）において、「船舶のバラスト水及び沈殿物の規制及び管理のための国際条約」が採択され、バラスト水の排水の際の水質基準の遵守義務が決められた。この水質基準を遵守するためには、船舶にバラスト水専用の浄化装置を設置して、バラスト水の中の汚濁物を除去して排水する、または、はじめから水質基準を満たすバラスト水を貯溜する、などの対策が考えられる。
しかしながら、船舶にバラスト水専用の浄化装置を設置することを考えると、前記した条約に規定された水質基準を満足する性能を有するバラスト水専用の浄化装置を設置するためには、多大な初期費用が必要となり、さらに、そのランニングコストも多大なものとなってしまう。加えて、例えば、ヨーロッパ諸国とアラビア湾沿岸の国々との間で原油を輸送するタンカーでは、輸送距離が比較的短いため、短時間でバラスト水を浄化する必要があり、処理能力を上げるために浄化装置が大型化し、さらに初期費用が増大してしまうという問題点がある。
【０００４】
また、はじめから水質基準を満たすバラスト水を貯溜することを考えると、前記した条約に規定された水質基準は、一般的な海洋、河川または湖沼などの水質に比べて、さらに高いものであり、これらの水質を向上させる浄化処理施設を設置する必要があり、やはり、初期費用とランニングコストがかかるという問題点を有している。
ところで、日本などでは、活性汚泥法などを用いた高級処理により生活廃水を処理し、高級処理水として河川などに放流している。この高級処理水は、前記した条約の水質基準を十分満たすものである。この高級処理水には、高級処理では十分に除去できない窒素やリンなどが依然含まれており、赤潮などの海洋・河川の汚染の一因となる一方で、植物の生育には適した水質であり、その有効利用の研究がなされている。
さらに、原油を産出する多くの国々は、乾燥気候の地域に属し、慢性的な水資源の不足が問題となっており、農業や緑化事業などに用いる水資源の確保が、重要な課題となっている。
【０００５】
以上の状況に鑑み、タンカーなどの船舶のバラスト水として、生活廃水を高級処理または、さらに高い水質を実現する高度処理した生活処理水を貯溜し、船荷を積込む寄港地において、農業用水などとして荷揚げすることが考えられる。
このような仕組みを構築するためには、生活処理水の供給者と需要者とを結び付け、さらに、バラスト水を輸送する船主を決定する必要がある。
【発明の概要】
【発明が解決しようとする課題】
【０００６】
しかしながら、これらの当事者をマッチングするための市場を考えると、これらの当事者は、例えば、別々の国のように、それぞれ遠隔地に存在する可能性が高く、実際の市場による取引が難しいという問題点があり、さらに、船舶で輸送可能な生活処理水の水量、需要者の求める生活処理水の水量および供給者の供給する生活処理水の水量が、必ずしも同一であるとは限らないため、従来のマッチングシステムでは対応できないという問題点がある。
したがって、本発明の解決しようとする課題は、生活処理水をバラスト水として輸送、提供する際に、生活処理水の取引をマッチングする手段を提供することである。
【課題を解決するための手段】
【０００７】
前記した課題を解決するためになされた本発明に係る生活処理水取引支援装置は、生活処理水の需要情報、供給情報および、この需要情報と供給情報とのマッチング情報を含んで格納する記憶手段と、需要情報ごとに、需要情報の要求を満たす供給情報をマッチングし、その結果をマッチング情報として出力するマッチング手段と、需要情報、供給情報およびマッチング情報を記憶手段に登録する登録手段と、マッチング情報を一覧表示したマッチング情報一覧画面などの表示画面を作成する表示作成手段と、需要情報および供給情報を受信し、マッチング情報一覧画面を送信する通信手段と、前記船舶が輸送可能な前記生活処理水の輸送水量に関する情報に基づいて、前記需要情報および前記供給情報を補正する補正手段とを含んで構成され、前記マッチング情報一覧画面において、どのマッチング情報を選択したかを表す選択情報と、前記船舶が輸送可能な前記生活処理水の輸送水量および前記供給価格に所望の金額を加えた売却価格に関する情報とを含んだ輸送提示情報を、前記通信手段から受信し、前記表示作成手段は、前記輸送提示情報を一覧表示した輸送提示画面を作成して前記通信手段から送信し、前記輸送提示画面において、どの輸送提示情報を選択したかを表す提示選択情報を前記通信手段から受信すると、前記補正手段は、前記提示選択情報に基づいて、取引が確定した需要情報の購入水量から、前記輸送水量を差し引いて前記需要情報データベースに登録し、この需要情報にマッチングされた供給情報の供給水量から前記輸送水量を差し引いて前記供給情報データベースに登録すること、を特徴としている。
【０００８】
また、前記した生活処理水取引支援装置の需要情報には、必要とする生活処理水の水質、需要量、需要時期および購入価格に関する情報が含まれ、供給情報には、供給する生活処理水の水質、供給量、供給時期および供給価格に関する情報が含まれる。
【０００９】
また、前記した課題を解決するためになされた本発明に係る生活処理水取引支援方法は、供給する生活処理水の水質、供給量および供給時期に関する情報を含んだ供給情報を供給者端末から受信して供給情報データベースに登録するステップと、必要とする生活処理水の水質、需要量および需要時期に関する情報を含んだ需要情報を需要者端末から受信して需要情報データベースに登録するステップと、需要情報ごとに需要情報の各パラメータの条件を満たす供給情報をマッチングして、マッチング情報データベースに登録するステップと、マッチング情報を一覧表示したマッチング情報一覧画面を作成し、船主端末に送信するステップと、前記マッチング情報を一覧表示したマッチング情報一覧画面を作成し、前記船舶の船主が利用する船主端末に、前記通信回線を介して送信するステップと、前記マッチング情報一覧画面において、どのマッチング情報を選択したかを表す選択情報と、前記船舶が輸送可能な前記生活処理水の輸送水量および前記供給価格に所望の金額を加えた売却価格に関する情報とを含んだ輸送提示情報を、前記船主端末から前記通信回線を介して受信するステップと、前記輸送提示情報を、前記需要者ごとに集計した輸送提示画面を作成し、該当する前記需要者端末に送信するステップと、前記需要者端末から、前記輸送提示画面において、どの輸送提示情報を選択したかを表す提示選択情報を受信し、この選択情報に基づいて、取引が確定した需要情報の購入水量から、前記輸送水量を差し引いて前記需要情報データベースに登録し、この需要情報にマッチングされた供給情報の供給水量から前記輸送水量を差し引いて前記供給情報データベースに登録して、前記マッチングをするステップに戻るステップとを含むこともできる。
【００１０】
また、前記した生活処理水取引支援方法は、マッチング情報一覧画面を作成する前に、マッチング情報を選択できる画面を需要者端末に送信してマッチング情報を絞り込むステップを含むこともできる。
【００１１】
さらに、本発明に係る生活処理水取引支援方法は、コンピュータで実行可能なプログラムが記録された記録媒体として具現化できる。
【発明の効果】
【００１２】
本発明によれば、生活処理水をバラスト水として輸送、提供する際に、生活処理水の取引をマッチングする手段を提供することができる。
【図面の簡単な説明】
【００１３】
第１図は、生活処理水の取引サイクルを説明する図である。
第２図は、生活処理水取引支援システムの全体構成図である。
第３図は、生活処理水取引支援サーバの内部ブロック構成図である。
第４図は、生活処理水の取引の手順を説明するシーケンス図である。
第５図は、供給情報を入力する表示画面の例である。
第６図は、（ａ）供給情報ＤＢに登録される供給情報の例である。
（ｂ）需要情報ＤＢに登録される需要情報の例である。
第７図は、需要情報を入力する表示画面の例である。
第８図は、マッチング処理の手順を説明するフローチャートである。
第９図は、マッチング情報の一覧を表示する表示画面の例である。
第１０図は、輸送提示情報を表示する表示画面の例である。
第１１図は、生活処理水の取引の手順を説明するシーケンス図である。
第１２図は、マッチング情報の一覧を表示する表示画面の例である。
【発明を実施するための形態】
【００１４】
以下、本発明の実施の形態について適宜図面を参照しながら説明する。
（前提）
はじめに、本発明に係る生活処理水取引支援方法が適用される、生活処理水の取引サイクルの概要について、原油を輸送するタンカーのバラスト水として生活処理水を使用した例を用いて説明する。
第１図は、生活処理水の取引サイクルを説明する図である。第１図に示すように、生活処理水の取引サイクルは、生活廃水を処理した生活処理水を発生する生活処理水供給国１と、生活処理水を農業用水として利用する生活処理水需要国２と、生活処理水をバラスト水として利用するタンカー３との間で成立する。
【００１５】
次に、生活処理水の取引サイクルの過程を説明する。
はじめに、生活処理水供給国１では、生活廃水処理センター１ｃにおいて、生活廃水を高級処理または高度処理して生活処理水を生成し、この生活処理水を生活処理水積出港１ａにパイプラインなどを介して輸送する。
そして、生活処理水積出港１ａでは、タンカー３に、生活処理水をバラスト水として漲水する。生活処理水をバラスト水として原油槽とは別のバラスト水槽に貯溜したタンカー３は、産油国である生活処理水需要国２まで航行する。生活処理水需要国２に到着したタンカー３は、生活処理水荷揚港２ａにおいて、バラスト水として輸送した生活処理水を荷揚げする。荷揚げされた生活処理水は、農地２ｃにパイプラインなどを介して輸送され、農業用水として利用される。
【００１６】
そして、生活処理水荷揚港２ａにおいて、バラスト水として輸送した生活処理水を排水したタンカー３は、その水域の海水または淡水を、バラスト水として再び漲水し、同じ生活処理水需要国２内の原油積出港２ｂに移動する。そして、タンカー３は、原油積出港２ｂにおいてバラスト水を排水して、油井２ｄからパイプラインなどを介して輸送される原油を積込み、再び、生活処理水供給国１に向けて出航する。なお、生活処理水荷揚港２ａにおいて漲水されたバラスト水は、同国内であるため、原油積出港２ｂにおいて浄化処理をすることなく排水することができる。
【００１７】
原油積出港２ｂにおいて、原油を積込んだタンカー３は、原油消費国である生活処理水供給国１に向けて航行し、生活処理水供給国１の原油荷揚港１ｂに入港し、船荷として輸送した原油を荷揚げする。原油荷揚港１ｂに荷揚げされた原油は、原油備蓄タンク１ｄに備蓄され、その後の工程に送られる。
そして、船荷である原油を荷揚げしたタンカー３は、原油荷揚港１ｂ付近の水域の海水または淡水をバラスト水として漲水し、生活処理水積出港１ａに移動して、再び生活処理水をバラスト水として積込む工程を繰り返す。
以上の過程により、生活処理水の取引サイクルがなされる。
【００１８】
◎第１実施形態例
次に、前記した生活処理水の取引サイクルに、本発明に係る生活処理水取引支援方法を適用した第１実施形態例について詳細に説明する。
本実施形態例では、第１図に示した生活処理水を発生する生活処理水供給国１を供給者、生活処理水を農業用水などとして利用する生活処理水需要国２を需要者とし、タンカー３を所有して航行の管理をする企業を船主とする。なお、本実施形態例では生活処理水の需要者および供給者を国としたが、地方自治体、地方公共団体または企業である場合など様々に置き換えて実施可能である。
【００１９】
（生活処理水取引支援システム）
はじめに、本実施形態例の生活処理水取引支援方法が適用される生活処理水取引支援システムの構成について説明する（適宜、第１図参照）。ここで、第２図は、本実施形態例の生活処理水取引支援システムの構成を示す図である。第２図に示すように、生活処理水取引支援システムは、生活処理水の取引のマッチングを行う生活処理水取引支援サーバ４（以下、支援サーバ４と省略する）と、タンカー３の船主が使用する端末装置である船主端末５と、生活処理水の供給者が使用する端末装置である供給者端末６と、生活処理水の需要者が使用する端末装置である需要者端末７とが、通信回線８を介して相互に通信可能に接続されて構成されている。
【００２０】
次に、第２図に示した生活処理水取引支援システムの各構成要素について詳細に説明する。支援サーバ４は、供給者端末６から送られる生活処理水の供給に関する供給情報と、需要者端末７から送られる生活処理水の需要に関する需要情報とを通信回線８を介して受け取り、この供給情報と需要情報とのマッチングを行って、船主端末５にそのマッチングの結果を送信する処理などを実行する。
【００２１】
ここで、第３図は、支援サーバ４のブロック構成図の例である。第３図に示すように、支援サーバ４は、支援サーバ４を統括して制御する制御手段４０１と、生活処理水の需要情報と供給情報とのマッチング処理を実行するマッチング手段４０２と、各端末装置から送られる情報をそれぞれのＤＢ（データベース）に登録する登録手段４０３と、各端末装置に送信する各種の情報入力画面などを作成し、例えば、ＨＴＭＬ（Ｈｙｐｅｒ Ｔｅｘｔ Ｍａｒｋｕｐ Ｌａｎｇｕａｇｅ）形式のファイルとして出力する表示作成手段４０４と、マッチングが成立した需要情報と供給情報とを補正する補正手段４０５と、各端末装置と通信回線８を介して通信するインターフェイスである通信手段４０６とを含んで構成される。
【００２２】
さらに支援サーバ４は、生活処理水取引支援システムに参加する船主、供給者および需要者に関する情報であるユーザ情報を登録したユーザ情報ＤＢ４０８と、供給者が供給者端末６から送信する生活処理水の供給情報を登録した供給情報ＤＢ４０９と、需要者が需要者端末７から送信する生活処理水の需要情報を登録した需要情報ＤＢ４１０と、マッチング手段４０２のマッチング処理の結果であるマッチング情報を登録したマッチング情報ＤＢ４１１と、マッチング情報に対する輸送提示情報（詳細は後記する）を登録した輸送提示情報ＤＢ４１２とを含んで構成される。これらの各手段と各ＤＢ（データベース）とは内部バス４０７により相互に接続されている。
【００２３】
また、支援サーバ４は、ＣＰＵ（Ｃｅｎｔｒａｌ Ｐｒｏｃｅｓｓｉｎｇ Ｕｎｉｔ）、ＲＡＭ（Ｒａｎｄｏｍ Ａｃｃｅｓｓ Ｍｅｍｏｒｙ）、ハードディスクドライブ、ネットワークカードなどから構成されるサーバ用コンピュータにより実現され、前記した制御手段４０１、マッチング手段４０２、登録手段４０３、表示作成手段４０４および補正手段４０５は、ハードディスクドライブに登録されたプログラムをＲＡＭ上に展開してＣＰＵが実行することで実現される。また、通信手段４０６は、ネットワークカードに相当する。さらに、ユーザ情報ＤＢ４０８、供給情報ＤＢ４０９、需要情報ＤＢ４１０、マッチング情報ＤＢ４１１および輸送提示情報ＤＢ４１２は、ハードディスクドライブ上に区画された領域を割当てることによって実現される。
【００２４】
次に、船主端末５、供給者端末６および需要者端末７は、通信回線８を介して支援サーバ４と相互に通信可能な端末装置であり、ＨＴＭＬ形式のファイルを閲覧できるＷｅｂブラウザと、ネットワークカードとを有した、例えば、パーソナルコンピュータにより実現される。
【００２５】
さらに、生活処理水取引支援システムの各構成要素を結ぶ通信回線８は、例えばインターネットを用いることや、セキュリティを考えてＶＰＮ（Ｖｉｒｔｕａｌ Ｐｒｉｖａｔｅ Ｎｅｔｗｏｒｋ）や専用回線などによるネットワークを用いることができる。なお、通信回線８にインターネットを用いる場合には、公知の暗号化技術を用いてセキュアに通信が行われることが望ましい。
【００２６】
（生活処理水の取引手順）
次に、前記した生活処理水取引支援システムを用いて、本実施形態例の生活処理水取引支援方法を実行する手順を、第４図に示したシーケンス図を参照して説明する（適宜、第２図、第３図参照）。なお、第４図において、破線で示した部分は、人の行為として行われる部分を示している。
【００２７】
（情報登録）
はじめに、生活処理水取引支援システムを利用する需要者、供給者および船主は、支援サーバ４の管理者に、所定の項目を記入した申請用紙を提出することなどによりユーザ情報を送付し、生活処理水取引支援システムの利用申請を行う。ここで、支援サーバ４の管理者は、これらの利用希望者の審査を行い、問題がない場合は、需要者、供給者および船主に関する情報をユーザ情報として、支援サーバ４のユーザ情報ＤＢ４０８に登録する。ここで、ユーザ情報ＤＢ４０８に登録されたユーザ情報の例を、次の表１に示す。
【００２８】
【表１】
0004441534.tif 000002
【００２９】
表１に示すように、ユーザ情報としては、各ユーザの「ユーザ名」、「所在地」、「電話番号」、「ＦＡＸ番号」および「担当者名」が、各ユーザに一意に付された「ユーザＩＤ」に対応付けて登録されている。さらに各ユーザ情報には、それぞれ任意の「ユーザパスワード」が設定されており、生活処理水取引支援システムを利用する需要者、供給者および船主は、それぞれの端末装置から生活処理水取引支援システムにアクセスする場合に、この「ユーザＩＤ」と「ユーザパスワード」とを用いた認証を行ってから、生活処理水取引支援システムにログインして利用することになる。
【００３０】
なお、本実施形態例の生活処理水取引支援システムでは、申請用紙を送付することで、生活処理水取引支援システムのユーザ登録をすることとしたが、もちろん、各端末装置から、通信回線８を介してユーザ情報を送信することで、電子的にユーザ登録の申請を行うことも可能である。
【００３１】
船主、供給者および需要者のユーザ登録が終了すると、供給者は、供給者端末６から生活処理水の供給情報を送信し（ステップＳ１０１）、この供給情報を受信した支援サーバ４は、登録手段４０３により供給情報ＤＢ４０９に供給情報を登録する（ステップＳ１０２）。ここで、供給者が供給情報を入力する際に、供給者端末６に表示される供給情報入力画面の例を第５図に示す。第５図に示した供給情報入力画面５１は、支援サーバ４の表示作成手段４０４により作成され、通信回線８を介して供給者端末６に送信されたものである。この供給情報入力画面５１は、供給者が供給する生活処理水の「供給場所」、「供給可能日」、「供給水量」、「供給価格」そして水質に関する情報である「化学的酸素要求量（Ｃｈｅｍｉｃａｌ Ｏｘｙｇｅｎ Ｄｅｍａｎｄ：ＣＯＤ）」、「全窒素量（Ｔ−Ｎ）」および「全リン量（Ｔ−Ｐ）」を入力する供給情報入力領域５２と、この供給情報入力領域５２に入力した情報を確定する際にクリックする登録ボタン５３とを含んで構成されている。供給者は、自身が供給する生活処理水の情報を、供給情報入力領域５２に入力して、登録ボタン５３をクリックすることで、供給情報を支援サーバ４に送信することができる。
【００３２】
ここで、支援サーバ４の供給情報ＤＢ４０９に登録された供給情報の例を第６図の（ａ）に示す。第６図の（ａ）に示すように、前記した供給情報入力画面５１を用いて入力された供給情報には、この供給情報を送信した供給者のユーザ情報に含まれる「ユーザＩＤ」と、供給情報入力画面５１の供給情報入力領域５２に入力された各パラメータとが、供給情報ごとに一意に付された「供給リストＩＤ」に対応付けて登録されている。
さらに、各供給情報には、後記するマッチング処理でマッチングされ、タンカー３により輸送が決定した生活処理水の輸送水量を、「供給水量」から差し引いた「残水量」の項目が設けられている。第６図の（ａ）に示した供給情報の例では、登録当初であるため、「供給水量」と「残水量」の項目が同じ値となっている。なお、第６図の（ａ）において、１ｂｂｌ（バーレル）は、約１５８．９リットルである。
【００３３】
次に、需要者は、需要者端末７から生活処理水の需要情報を送信し（ステップＳ１０３）、この需要情報を受信した支援サーバ４は、登録手段４０３により需要情報を需要情報ＤＢ４１０に登録する（ステップＳ１０４）。ここで、需要者が需要情報を入力する際に、需要者端末７に表示される需要情報入力画面の例を第７図に示す。第７図に示した需要情報入力画面７１は、支援サーバ４の表示作成手段４０４により作成され、通信回線８を介して需要者端末７に送信されたものである。需要情報入力画面７１は、必要とする生活処理水の「購入場所」、「購入可能日」、「購入量」、「購入価格」そして水質に関する情報である「ＣＯＤ」、「Ｔ−Ｎ」および「Ｔ−Ｐ」を入力する需要情報入力領域７２と、需要情報入力領域７２に入力した情報を確定する際にクリックする登録ボタン７３とを含んで構成されている。需要者は、購入を希望する生活処理水の情報を入力して、画面下部に表示された登録ボタン７３をクリックすることで、需要情報を支援サーバ４に送信することができる。
【００３４】
ここで、支援サーバ４の需要情報ＤＢ４１０に登録された需要情報の例を第６図の（ｂ）に示す。第６図の（ｂ）に示すように、前記した需要情報入力画面７１を用いて入力された需要情報には、この需要情報を送信した需要者のユーザ情報に含まれる「ユーザＩＤ」と、需要情報入力画面７１の需要情報入力領域７２に入力された各パラメータとが、需要情報ごとに一意に付された「需要リストＩＤ」に対応付けて登録されている。
さらに、需要情報には、後記するマッチング処理でマッチングされ、「購入水量」から、タンカー３により輸送が決定した生活処理水の輸送水量を差し引いた「不足水量」の項目が設けられている。第６図の（ｂ）に示した需要情報の例では、登録当初であるため、「購入水量」と「不足水量」の項目が同じ値となっている。
【００３５】
なお、本実施形態例において、説明のために、供給情報および需要情報を登録する手順を最初に説明したが、この供給情報および需要情報を登録する手順は、如何なるタイミングで、何回行われても構わない。
また、需要情報および供給情報に細菌（コレラ菌、大腸菌、腸球菌等）の残存数に関する情報を含めることもできる。
【００３６】
（マッチング処理）
次に、支援サーバ４は、マッチング手段４０２により、前記した手順で収集、登録された供給情報および需要情報のマッチング処理を実行する（ステップＳ１０５）。
ここで、第８図は、支援サーバ４におけるマッチング処理の手順を説明するフローチャートである。第８図に示したフローチャートを参照してマッチング処理の手順を詳しく説明する。このマッチング処理では、需要情報ＤＢ４１０に登録された需要情報ごとに、適合する供給情報の検索を行う。このように、需要情報を優先させてマッチング処理を行うのは、供給者は余剰となった生活処理水を河川または海洋などに放流することが可能であるため、生活処理水が余剰となる場合には問題とならないが、需要者は生活処理水を農業用水として用いるため、生活処理水の購入水量に対する不足が発生することは深刻な問題となるためである。
【００３７】
はじめに、マッチング手段４０２は、供給情報ＤＢ４０９から、供給情報の「残水量」が、所定値以上の供給情報と、需要情報ＤＢ４１０から、需要情報の「不足水量」が所定値以上の需要情報とを検索し、マッチングの候補とする（ステップＳ１５１）。この所定値とは、支援サーバ４の管理者が決めた“０ｂｂｌ”以上の値である。
次に、マッチング手段４０２は、ステップＳ１５１で絞り込まれた供給情報から、マッチング対象の需要情報の水質に関するパラメータ（ＣＯＤ、Ｔ−Ｎ、Ｔ−Ｐ）の条件を満足する、水質を有する供給情報を検索する（ステップＳ１５２）。ここでは、需要情報の水質に関する各パラメータの値を下回る値を有する供給情報をマッチングの候補として絞り込む。
【００３８】
次に、ステップＳ１５２で絞り込まれた供給情報から、需要情報の「購入可能日」を満足する供給情報をさらに検索する（ステップＳ１５３）。ここで、マッチング手段４０２では、マッチングさせる需要情報の「購入場所」に関する情報および供給情報の「供給場所」に関する情報から、生活処理水の輸送日数を算出し、「供給可能日」と「購入可能日」との差が、この算出された輸送日数の前後、所定の日数の範囲内にある供給情報を需要情報とマッチングさせる機能が実装されている。
例えば、ある需要情報の「購入可能日」が“６月３０日”であり、ある供給情報の「供給可能日」が“５月３０日”であるとすると、需要情報の「購入場所」と供給情報の「供給場所」との情報から、輸送日数を算出し、この輸送日数が“３１日プラスマイナス１週間”の範囲内となれば、マッチングが可能と判断する。この輸送日数にプラスマイナスされる幅は、支援システム４の管理者が任意に設定可能である。
【００３９】
次に、ステップＳ１５３で絞り込まれた供給情報から、需要情報の「購入価格」の情報と供給情報の「供給価格」の情報とを比較して、「購入価格」を所定の金額だけ下回っている「供給価格」を有する供給情報を検索する（ステップＳ１５４）。なお、この所定の価格とは、支援システム４の管理者が任意に設定することができ、生活処理水を輸送することで、地方公共団体などから船主に補助金が支払われるようなケースでは、負の値に設定することもできる。
【００４０】
ステップＳ１５４の検索の結果が、最終的なマッチング情報となり、このマッチング情報は、登録手段４０３によってマッチング情報ＤＢ４１１に登録される（ステップＳ１５５）。
そして、マッチング可能な全ての需要情報に対するマッチング処理が終了したか否かを判定し（ステップＳ１５６）、マッチング可能な全ての需要情報に対するマッチングが終了するまで、ステップＳ１５２ないしステップＳ１５５の処理を繰り返してマッチング情報を出力する。
【００４１】
なお、第８図に示したマッチングの手順のうち、ステップＳ１５２ないしステップＳ１５４の順序は、入れ替えて実行することができる。また、需要情報および供給情報にマッチングの対象となるパラメータが増えた場合は、それに応じた検索処理の手順が追加される。
ここで、表２には、マッチング情報ＤＢ４１１に登録されたマッチング情報の例を示している。
【００４２】
【表２】
0004441534.tif 000003
【００４３】
表２に示したマッチング情報は、マッチングされた需要情報の「需要リストＩＤ」および供給情報の「供給リストＩＤ」が、このマッチング情報に一意に付される「マッチングリストＩＤ」に対応付けて登録されている。
なお、需要者の生活処理水の調達を安定化させるため、需要情報に対してマッチングが成立する供給情報がない場合には、例えば、生活処理水の「購入可能日」に近づくほど、自動で需要情報の「購入価格」を上昇させる仕組みのように、マッチングの条件を緩和する仕組みをマッチング手段４０２に実装することも可能である。これにより、マッチングの成立の可能性を上昇させることができる。
（輸送提示情報の送信）
【００４４】
ステップＳ１０５のマッチング処理により作成され、マッチング情報ＤＢ４１１に登録されたマッチング情報は、支援サーバ４の表示作成手段４０４により、マッチング情報に対応する需要情報および供給情報が一覧表示された表示画面の形態で、船主端末５に送信される（ステップＳ１０６）。
【００４５】
ここで、船主端末５に表示され、マッチング情報に対応する需要情報および供給情報が一覧表示された表示画面であるマッチング情報一覧画面の例を第９図に示す。第９図に示したマッチング情報一覧画面９１は、各マッチング情報に対応した需要情報および供給情報の詳細が表示されるとともに、その下部には、船主が生活処理水の輸送を引き受けた際に、タンカー３によって輸送可能な水量を入力する輸送水量入力欄９２と、需要者に生活処理水を受け渡す際の売却希望価格を入力する売却価格入力欄９３と、各入力欄への入力後に、入力を確定する提示ボタン９４と、入力した情報を支援サーバ４に送信する際にクリックする登録ボタン９５とを含んで構成される。
【００４６】
船主は、このマッチング情報一覧画面９１を見て、生活処理水を輸送可能な条件が揃ったものがあると、自身のタンカー３で輸送可能なバラスト水（生活処理水）の輸送水量を輸送水量入力欄９２に入力し、供給者の供給価格に自身の手数料を上乗せして、需要者の購入価格以下の売却価格を設定し、売却価格入力欄９３に入力して、提示ボタン９４をクリックする。この作業を繰り返すことで、需要者に提示する輸送提示情報が作成される（ステップＳ１０７）。
【００４７】
船主が、各輸送提示情報を入力し、全ての入力を終えると、登録ボタン９５をクリックする。これにより、入力された輸送提示情報は、支援サーバ４に送信され（ステップＳ１０８）、この輸送提示情報を受信した支援サーバ４は、登録手段４０３により、この輸送提示情報を輸送提示情報ＤＢ４１２に登録するとともに、表示作成手段４０４により、需要者ごとの輸送提示情報の一覧が表示された輸送提示画面を作成し、輸送提示情報を、この輸送提示画面の形態で、該当する需要者の需要者端末７に送信する（ステップＳ１０９）。ここで、次に示す表３は、輸送提示情報ＤＢ４１２に登録された輸送提示情報の例を示している。
【００４８】
【表３】
0004441534.tif 000004
【００４９】
表３に示した輸送提示情報は、どのマッチング情報に対する輸送提示情報かを示す「マッチングリストＩＤ」と、この輸送提示情報を送信した船主のユーザＩＤである「船主ユーザＩＤ」と、船主が提示した生活処理水の「売却価格」と、タンカー３で輸送可能な「輸送水量」と、需要者がこの輸送提示情報に対して依頼をしたときに付される「依頼完了フラグ」とが、この輸送提示情報に一意に付される「輸送提示リストＩＤ」に対応付けて登録されている。
【００５０】
次に、支援サーバ４の表示作成手段４０４が作成した輸送提示画面を受信した需要者端末７は、この輸送提示画面を表示する。ここで、第１０図は、需要者端末７に表示される輸送提示画面１０１の例を示している。第１０図に示した輸送提示画面１０１は、需要者ごとに、船主が提示した輸送提示情報の一覧が表示され、各輸送提示情報の下部には、示された条件で輸送を依頼する場合にクリックする依頼ボタン１０２と、入力した情報を支援サーバ４に送信する際にクリックする登録ボタン１０３を含んで構成される。
【００５１】
需要者は、この輸送提示画面１０１を見て、輸送水量と売却価格とを確認し、輸送水量と売却価格とを了承すると、輸送提示画面１０１の依頼ボタン１０２をクリックする。ここで、複数の船主が、同じマッチング情報に対して輸送提示情報を入力した場合には、同じマッチング情報に対して二つの輸送提示情報が表示され、需要者は、売却価格と輸送水量とを勘案して複数の輸送提示情報から、所望の輸送提示情報を選択することができる。
【００５２】
需要者は、輸送提示画面１０１から輸送を依頼する輸送提示情報の依頼ボタン１０２をクリックすることで輸送提示情報を選択して（ステップＳ１１０）、登録ボタン１０３をクリックする。登録ボタン１０３をクリックすることで、輸送提示情報を選択した情報は、輸送提示選択情報として支援サーバ４に送信される（ステップＳ１１１）。
【００５３】
（需要情報および供給情報の補正）
この輸送提示選択情報を受信した支援サーバ４は、輸送提示情報ＤＢ４１２に登録された該当する輸送提示情報（表３参照）の「依頼完了フラグ」を、“ｎｕｌｌ”から“１”に書き換える。そして、この輸送提示選択情報に基づいて、支援サーバ４は、補正手段４０５により、第６図（ａ）に示した供給情報の「残水量」の項目と、第６図（ｂ）に示した需要情報の「不足水量」の項目の補正処理を実行する（ステップＳ１１２）。
【００５４】
この供給情報および需要情報の補正処理を詳しく説明する。まず、支援サーバ４の補正手段４０５は、依頼完了フラグが“１”である輸送提示情報の「マッチングリストＩＤ」に基づいて、この輸送提示情報に該当するマッチング情報をマッチング情報ＤＢ４１１から検索する。この検索されたマッチング情報に基づいて、供給情報ＤＢ４０９に登録された該当する供給情報および需要情報ＤＢ４１０に登録された該当する需要情報を検索する。
【００５５】
そして、検索された供給情報の「残水量」から、輸送提示情報の「輸送水量」を差し引いて、新たな「残水量」として登録する。また、検索された需要情報の「不足水量」から、輸送提示情報の「輸送水量」を差し引いて、新たな「不足水量」として登録する。
【００５６】
これにより、輸送される生活処理水の水量が、該当する供給情報および需要情報に反映されて、マッチング処理の際に、マッチングの候補であるか否かの判定（第８図のステップＳ１５１）に用いられる。また、例えば、現在日時が、供給情報の「供給可能日」および需要情報の「購入可能日」を過ぎてしまった場合にも、供給情報の「残水量」および需要情報の「不足水量」を“０ｂｂｌ”と書き換えることで、マッチング処理の対象から除外させることができる。
【００５７】
（契約）
需要情報および供給情報の補正処理の実行（ステップＳ１１２）が終了すると、支援サーバ４は、ステップＳ１１１で受信した輸送提示選択情報を、該当する船主端末に送信し（ステップＳ１１３）、併せてマッチングされた供給者の供給者端末６にも輸送提示選択情報を送信する（ステップＳ１１４）。
【００５８】
以降、ステップＳ１０１ないしステップＳ１１４の手順が繰り返される。
以上の過程により生活処理水の供給者と、需要者と、生活処理水を輸送する船主がマッチングされ、供給者は船主に生活処理水を売却する契約を結び、需要者は船主から生活処理水を購入する契約を結ぶ。そして、第１図に示すように、船主のタンカー３は、生活処理水をバラス水として生活処理水積出港１ａから生活処理水荷揚港２ａまで輸送し、契約が実行される。
【００５９】
◎第２実施形態例  
次に、本発明の第２実施形態例を説明する。本実施形態例の生活処理水取引支援方法は、第１実施形態例と同様に、第１図に示した生活処理水の取引サイクルに適用されるものである。さらに、本実施形態例の生活処理水取引支援システムおよび生活処理水取引支援サーバの構成は、第２図および第３図に示した第１実施形態例と同様であるため、第１実施形態例と同じ参照番号を用いて、その詳細な説明を省略する。
【００６０】
（生活処理水の取引手順）
次に、本実施形態例における、生活処理水の取引を実行する手順を第１１図に示したシーケンス図を参照して説明する（適宜、第３図参照のこと）。なお、第１１図において、破線で示した部分は、人の行為として行われる部分を示している。
はじめに、第１１図に示したシーケンス図において、供給者、需要者および船主が、ユーザ情報を送信して、支援サーバ４にユーザ登録を行う手順から、支援サーバ４に需要情報を登録する手順（ステップＳ３２０１ないしステップＳ２０４）は、第４図に示した第１実施形態例のステップＳ１０１ないしステップＳ１０４と同様であるため、その説明を省略する。
【００６１】
（マッチング処理）
次に、支援サーバ４は、マッチング手段４０２により、ステップＳ２０１ないしステップＳ２０４で、収集、登録された供給情報および需要情報のマッチング処理を実行する（ステップＳ２０５）。
本実施形態例において、支援サーバ４におけるマッチング処理の手順は、第８図に示したフローチャートの手順と同様である。ただし、本実施形態例では、マッチング処理の各手順において、マッチングされる供給情報および需要情報の各パラメータの適合度合を示す「マッチング値」を計算する。第８図を参照して、本実施形態例におけるマッチング処理の手順を詳しく説明する。
【００６２】
はじめに、マッチング手段４０２は、供給情報ＤＢ４０９から、供給情報の「残水量」が、所定値以上の供給情報と、需要情報ＤＢ４１０から、需要情報の「不足水量」が所定値以上の需要情報とを検索し、マッチングの候補とする（ステップＳ１５１）。
次に、マッチング手段４０２は、ステップＳ１５１で絞り込まれた供給情報から、需要情報ＤＢ４１０に登録されたマッチング対象の需要情報の水質に関するパラメータ（ＣＯＤ、Ｔ−Ｎ、Ｔ−Ｐ）の条件を満足する、水質を有する供給情報を検索する（ステップＳ１５２）。ここでは、需要情報の水質に関する各パラメータの値を下回る値を有する供給情報をマッチングの候補として絞り込む。そして、マッチング候補として絞り込まれた需要情報と供給情報との水質に関するパラメータの差に応じて“０〜１”の範囲内で「マッチング値」を決定する。
【００６３】
次に、ステップＳ１５２で絞り込まれた供給情報から、需要情報の「購入可能日」を満足する供給情報をさらに検索する（ステップＳ１５３）。ここで、マッチング手段４０２では、マッチングさせる需要情報の「購入場所」に関する情報および供給情報の「供給場所」に関する情報から、生活処理水の輸送に要する時間を算出し、「供給可能日」と「購入可能日」との差が、この算出された輸送日数の前後、所定の日数の範囲内にある供給情報を需要情報とマッチングさせる機能が実装されている。
【００６４】
例えば、ある需要情報の「購入可能日」が“６月３０日”であり、ある供給情報の「供給可能日」が“５月３０日”であるとすると、需要情報の「購入場所」と供給情報の「供給場所」との情報から、輸送日数を算出し、この輸送日数が“３１日プラスマイナス１週間”の範囲内となれば、マッチングが可能と判断し、さらに、輸送日数が“３１日”であれば「マッチング値」を“１”とし、前後に１日ずれるごとに“０．１”差し引いた値を「マッチング値」とする。
【００６５】
次に、ステップＳ１５３で絞り込まれた供給情報から、需要情報の「購入価格」の情報と供給情報の「供給価格」の情報とを比較して、「購入価格」を所定の金額だけ下回っている「供給価格」を有する供給情報を検索する（ステップＳ１５４）。さらに、例えば、「購入価格」と「供給価格」との差が“所定の価格＋０．１ＵＳ＄／ｂｂｌ”以上であれば、「マッチング値」を“１”とし、「購入価格」と「供給価格」との差が“所定の価格”であれば、「マッチング値」を“０．３”とし、その間の値であれば割合に応じて「マッチング値」を“０．３〜１”の間で決定する。
【００６６】
ステップＳ１５４の検索の結果が、最終的なマッチング情報となり、ステップＳ１５２ないしステップＳ１５４の各手順において算出された「マッチング値」を掛け合わせたものを、最終的な「マッチング値」としてマッチング情報に付加する。このマッチング情報は、登録手段４０３によってマッチング情報ＤＢ４１１に登録される（ステップＳ１５５）。
そして、マッチング可能な全ての需要情報に対するマッチング処理が終了したか否かを判定し（ステップＳ１５６）、マッチング可能な全ての需要情報に対するマッチングが終了するまで、ステップＳ１５１ないしステップＳ１５５の処理を繰り返してマッチング情報を出力する。
ここで、表４には、マッチング情報ＤＢ４１１に登録されたマッチング情報の例を示している。
【００６７】
【表４】
0004441534.tif 000005
【００６８】
表４に示したマッチング情報は、マッチングされた需要情報の「需要リストＩＤ」および供給情報の「供給リストＩＤ」が、このマッチング情報に一意に付けられる「マッチングリストＩＤ」に対応付けて登録されているとともに、このマッチング情報が選択されたか否かを示す「選択フラグ」と、このマッチング情報の「マッチング値」が付加されている。なお、ステップＳ１５２ないしステップＳ２０４における「マッチング値」の算出方法は、そのパラメータの重要度に応じて任意に変更することができる。
次に、ステップＳ２０５のマッチング処理を終えると、マッチング情報をマッチング情報ＤＢ４１１に登録した支援サーバ４は、表示作成手段４０４により、需要者ごとのマッチング情報を一覧表示した画面であるマッチング情報提示画面の形態で、需要者端末７に送信する（ステップＳ２０６）。
【００６９】
需要者端末７は、受信したマッチング情報提示画面を表示し、需要者は、このマッチング情報提示画面を参照して、自身の需要を満足するマッチング情報を選択する（ステップＳ２０７）。ここで、需要者端末７に表示されるマッチング情報提示画面の例を第１２図に示す。第１２図に示すように、マッチング情報提示画面１２１は、需要者ごとのマッチング情報が表示され、各マッチング情報の下部には、需要者が、そのマッチング情報の供給者からの処理水を受け入れる場合にクリックする選択ボタン１２２と、各マッチング情報の選択が確定した場合にクリックする登録ボタン１２３とが含まれる。このマッチング情報提示画面１２１に表示される需要者ごとのマッチング情報は、「マッチング値」の高いものから順に表示され、さらに「マッチング値」が所定の値以下の場合は、表示させないことも可能である。
【００７０】
そして、需要者は、所望のマッチング情報を選択し、登録ボタン１２３をクリックすることで、どのマッチング情報を選択したかを示すマッチング選択情報を支援サーバ４に送信する（ステップＳ２０８）。
このマッチング選択情報を受信した支援サーバ４は、選択されたマッチング情報の「選択フラグ」を“ｎｕｌｌ”から、“１”に書き換えることで、マッチング情報にフラグを付加する（ステップＳ２０９）。
【００７１】
そして、マッチング情報の「選択フラグ」に基づいて、表示作成手段４０４により、需要者が、マッチング情報提示画面１２１で選択したマッチング情報をマッチング選択情報として、このマッチング情報に対応する需要情報および供給情報が一覧表示されたマッチング情報一覧画面の形態で、船主端末５に送信される（ステップＳ２１０）。ここで、船主端末５に表示され、マッチング情報に対応する需要情報および供給情報が一覧表示された表示画面であるマッチング情報一覧画面は、第１実施形態例の第９図に示したマッチング情報一覧画面９１と同様である。ただし、第１実施形態例で示したマッチング情報一覧画面９１では、マッチング情報ＤＢ４１１に登録された全てのマッチング情報が表示されるのに対し、本実施形態例のマッチング情報一覧画面９１では、予め、需要者が選択したマッチング情報のみが、マッチング情報一覧画面９１に表示される。
【００７２】
この後のステップＳ２１１ないしステップＳ２１８に係る手順は、第１実施形態例のステップＳ１０７ないしステップＳ１１４に係る手順と同様であるため、その説明を省略する。
以上の手順からなる本実施形態例の生活処理水取引支援方法によると、第１実施形態例の生活処理水取引支援方法に比べて、船主端末５に送信されるマッチング情報を、予め、需要者により絞り込むことができる。船主は、自身のタンカー３の航行スケジュールの確認や、手数料の算出などを行って、輸送提示情報を作成する必要があり、マッチングの成立する可能性が高いマッチング情報に絞り込むことで、船主の煩雑さを減少させることができる。
【００７３】
以上、本発明の望ましい実施形態例について説明したが、本発明は、その趣旨に反しない限り適宜変更して実施することができる。
例えば、本発明が適用される生活処理水取引支援システムに、第三者である水質検査機関が発行する水質検査証を保持したサーバ装置を含んで構成することで、生活処理水の取引の際に、需要者端末７に水質検査証を送信することで、水質検査機関に、水質を保証させることができる。
また、前記した実施形態例では、バラスト水として輸送する液体を生活廃水の処理水である生活処理水を用いることとしたが、安価な河川水や湖沼水を用いた取引サイクルに本発明に係る生活処理水取引支援方法を適用しても、同様の効果が得られる。
【産業上の利用可能性】
【００７４】
本発明によると、船舶のバラスト水に生活処理水を用いて、生活処理水の供給者から需要者に向けて供給する際に、需要者、供給者および船舶の船主のマッチングを容易に行うことができるため、乾燥または半乾燥地域における広範囲な農耕地や緑化地域に、農業用水として安価な淡水を調達、配水することが実現できる。さらに、これにより、既存の帰還タンカーなどの使用価値を増大させることができる。
【図１】
0004441534.tif 000006
【図２】
0004441534.tif 000007
【図３】
0004441534.tif 000008
【図４】
0004441534.tif 000009
【図５】
0004441534.tif 000010
【図６】
0004441534.tif 000011
【図７】
0004441534.tif 000012
【図８】
0004441534.tif 000013
【図９】
0004441534.tif 000014
【図１０】
0004441534.tif 000015
【図１１】
0004441534.tif 000016
【図１２】
0004441534.tif 000017